(57)【要約】【課題】正規の撮像ユニットが不適正なカメラ本体に装着され撮影が行なわれることを防止することができるカメラシステムを提供する。【解決手段】撮像ユニット１ａのシステム制御部１０ａに認証機能を持たせる。撮像ユニット１ａがカメラ本体１ｂに装着されたときにカメラ本体１ｂ側の接続検知部１３ｂの装着検知に応じてカメラ本体側から撮像ユニットに電源が供給されてきたら撮像ユニット側のシステム制御部１０ａがインターフェースを介して認証コードの送出要求をカメラ本体１ｂに送信する。この送信に応えてカメラ本体１ｂのシステム制御部が認証コード発生部から読み取った認証コードを撮像ユニット１ａに返送してきたらその認証コードに基づいてシステム制御部１０ａがカメラ本体１ｂの認証を行なう。【選択図】図２
2006203549.tif 000002
【特許請求の範囲】
【請求項１】
撮影光学系と撮像素子を備えた撮像ユニットと該撮像ユニットから画像信号を受け取って信号処理を行なうカメラ本体とを備えたカメラシステムにおいて、
前記撮像ユニットが、前記カメラ本体を認証する認証部を備えたことを特徴とするカメラシステム。
【請求項２】
前記撮像ユニットが、前記カメラ本体が不適正なカメラ本体であるとの認証結果を受けて該カメラ本体に送信する信号を制限する信号送信許否部を備えたことを特徴とする請求項１記載のカメラシステム。
【請求項３】
前記撮像ユニットが、前記カメラ本体が不適正なカメラ本体であるとの認証結果を受けて不適正なカメラ本体であることをユーザに向けて通知する通知部を備えたことを特徴とする請求項１記載のカメラシステム。
【請求項４】
前記通知部は、前記カメラ本体に向けて不適正なカメラ本体であることを表わす信号を送信し不適正なカメラ本体であることをユーザに向けて該カメラ本体に通知させるものであることを特徴とする請求項３記載のカメラシステム。
【請求項５】
前記認証部は、前記カメラ本体から、少なくとも該カメラ本体の種別が特定されるコードを受け取り、該コードに基づいて該カメラ本体の認証を行なうものであることを特徴とする請求項１記載のカメラシステム。
【請求項６】
さらに前記カメラ本体が、前記撮像ユニットを認証する認証部を備えたことを特徴とする請求項１記載のカメラシステム。
【請求項７】
前記カメラ本体が、前記撮像ユニットが不適正な撮像ユニットであるとの認証結果を受けて該撮像ユニットから送信された信号の受信を制限する信号受信許否部を備えたことを特徴とする請求項６記載のカメラシステム。
【請求項８】
前記カメラ本体が、前記撮像ユニットが不適正な撮像ユニットであるとの認証結果を受けて前記撮像ユニットが不適正な撮像ユニットであることをユーザに向けて通知する通知部を備えたことを特徴とする請求項６記載のカメラシステム。
【発明の詳細な説明】
【技術分野】
【０００１】
本発明は、撮影光学系と撮像素子を備えた撮像ユニットとその撮像ユニットから画像信号を受け取って信号処理を行なうカメラ本体とを備えたカメラシステムに関する。
【背景技術】
【０００２】
撮影光学系と撮像素子を備えた撮像ユニットを着脱自在にカメラ本体に装着することによって撮像ユニットが持つ撮影機能を最大限に活かした撮影が行なえるようになるカメラシステムが提案されている。このようなカメラシステムにあっては、撮像ユニットを選択することにより従来の交換レンズと同様に焦点距離や焦点範囲などを変えた撮影を自在に行なうことができるようにすることが考えられているほか、様々なカラーフィルタを持つ撮像素子の色合いでのカラー撮影も自在に行なうことができるようにすること等が考えられている。
【０００３】
このようなカメラシステムを今後普及させていくことを考えると、このカメラシステムを構成する複数の撮像ユニットのうちのいずれがこのカメラシステムを構成する複数のカメラ本体のうちのいずれに装着されようとも撮影を行なうことができるようにしておくことが必要である。このようにするための技術としては、カメラ本体側に像素子の種別ごとに複数のプロセス手段を設ける構成（例えば特許文献１参照）などが考えられている。
【０００４】
しかしながら、どのような撮像素子がカメラ本体に装着されようとも、カメラ本体側に設けたプロセス手段のうちのいずれかによって信号処理が自在に行なえるということになると、仮に不適正な撮像ユニット（例えばカメラ本体の仕様には本来合致しない撮像ユニットであるとか、全くの模造品であるとか）がカメラ本体に装着されたとしてもカメラ本体側に撮影画像データが送られさえすればカメラ本体側のプロセス手段で何らかの信号処理が行なわれて撮影が行なわれてしまうようなことが充分に予想される。
【０００５】
このようなことに対処するため、撮像ユニットがカメラ本体に装着されたときに撮像ユニットが正規のものであるかどうかを認識する認識部とその認識部により認識した認識結果に応じて撮影に制限を加える制限部をカメラ本体に配備して不適正な撮像ユニットのカメラ本体への装着を防止しようとするカメラシステムが提案されている（例えば特許文献２参照）。
【０００６】
この特許文献２の技術を活用すれば、不適正な撮像ユニットが正規のカメラ本体に装着されて撮影が行なわれてしまうようなことが防止されるようになる。
【０００７】
しかし近年においては、撮像ユニットの高インテリジェント化が進んできているため、カメラ本体には画像の記録再生機能のみを持たせるようにしてでき得る限りカメラ本体の簡素化を図ろうとする動きがある。上記特許文献２の技術を利用してカメラ本体に認証部を設けようとするとそのような動きに逆行することになりかねない。
【０００８】
また、上記したようにカメラ本体が簡素化されると、カメラ本体が低コストで提供されるようになってくるため、様々な種類のカメラ本体を用意しておいて撮像ユニットの大きさに応じてそれらカメラ本体の中からいずれかの種類のカメラ本体を選択するであるとか、様々な種類の撮像ユニットを用意しておいてカメラ本体をどこかで借りてその借りたカメラ本体を使って撮影を行なおうとする人などが出てくるかもしれない。
【０００９】
そうすると、不適正な撮像ユニットがカメラ本体に装着されることよりも、むしろ正規の撮像ユニットが不適正なカメラ本体に装着されることを考えておく必要がある。
【特許文献１】特開２０００−１０６６４４号公報
【特許文献２】特開２００１−１６４９８号公報
【発明の開示】
【発明が解決しようとする課題】
【００１０】
本発明は、上記事情に鑑み、正規の撮像ユニットが不適正なカメラ本体に装着され撮影が行なわれることを防止することができるカメラシステムを提供することを目的とする。
【課題を解決するための手段】
【００１１】
上記目的を達成する本発明のカメラシステムは、撮影光学系と撮像素子を備えた撮像ユニットとその撮像ユニットから画像信号を受け取って信号処理を行なうカメラ本体とを備えたカメラシステムにおいて、
上記撮像ユニットが、上記カメラ本体を認証する認証部を備えたことを特徴とする。
【００１２】
上記本発明のカメラシステムによれば、上記認証部によって不適正なカメラ本体であるかどうかが認証される。
【００１３】
このように上記認証部が不適正なカメラ本体であると認証した場合には、例えば撮影処理を禁止する処理を撮像ユニット側で行なうこともできるので、正規の撮像ユニットが不適正なカメラ本体に装着され撮影が行なわれることを防止することができるカメラシステムが実現される。
【００１４】
ここで、上記撮像ユニットが、上記カメラ本体が不適正なカメラ本体であるとの認証結果を受けてそのカメラ本体に送信する信号を制限する信号送信許否部を備えた態様のものであることが好ましい。
【００１５】
上記制限の中に信号の送信を禁止する処理が含まれるとすると、正規の撮像ユニットが不適正なカメラ本体に装着されて撮影が行なわれたとしても撮像ユニットからカメラ本体へ画像信号が送信されなくなって不適正なカメラ本体に正規の撮像ユニットが装着された状態にあるときのカメラシステムでの撮影が禁止される。
【００１６】
このようにすることで、正規の撮像ユニットが不適正なカメラ本体に装着され撮影が行なわれることを防止することができるカメラシステムが実現される。
【００１７】
ただし、上記不適正なカメラ本体の中に、上記撮像ユニットの仕様とは適合しないが装着されれば撮影が行なえるようなカメラ本体も含まれるとすると、不適正であるからといって一律禁止処理を行なってしまうのはあまり好ましくない。
【００１８】
そこで、例えば撮像素子の画素数が非常に高画素になっていてカメラ本体側のフレームレートではその高画素数すべてをカメラ本体へ送信することができないが、撮像ユニットでフレームレートを下げるような処理を行なったり、画素数を間引く処理を行なったりすると、不適正ではあってもカメラ本体側へ画像信号の送信を行なうことができ、その送信を受けて不適正なカメラ本体であっても適正な信号処理が行なえるようになる場合には、上記信号送信許否部でカメラ本体に送信する信号を制限する処理を行なってから送信するようにしておくと使い勝手が良くなる。
【００１９】
このように上記信号送信許否部が、制限として禁止処理を含むフレームレートの変更処理や画素数の間引き処理を行なうことができるようなものであると、上記認証部による認証結果を受けて上記信号送信許否部が、信号の送信を禁止することにより不適正なカメラ本体の使用を不許可とすることができることほか、不適正なカメラ本体であって認証を与えることはできないが、送信する信号例えば画像信号のフレームレート等に制限を加えれば撮影が行なえると判断した場合には、条件付きで撮影を許可することができるようなカメラシステムが実現される。
【００２０】
また、上記撮像ユニットが、上記カメラ本体が不適正なカメラ本体であるとの認証結果を受けて不適正なカメラ本体であることをユーザに向けて通知する通知部を備えた態様であることが好ましく、さらに、上記通知部は、上記カメラ本体に向けて不適正なカメラ本体であることを表わす信号を送信し不適正なカメラ本体であることをユーザに向けてカメラ本体に通知させるものであることが望ましい。
【００２１】
そうすると、ユーザは、正規の撮像ユニットが不適正なカメラ本体に装着されたということをカメラ本体側からの通知により知るようになる。このようにしておけば、不適正なカメラ本体が市場に投入されるようなことがあってもその不適正なカメラ本体をいち早く発見してしかるべき処置を採ることができるようになる。また、上記したように撮影は行なえるけれども撮像ユニットからカメラ本体へ送信する信号を制限する処理を上記信号送信許否部が行なう場合には、その処理を行なう旨をユーザに対して通知することもできる。
【００２２】
ここで上記認証部は、上記カメラ本体から、少なくともそのカメラ本体の種別が特定されるコードを受け取りそのコードに基づいてそのカメラ本体の認証を行なうものであることが好ましい。
【００２３】
そうすると、上記信号送信許否部が、送信する信号の制限を加えるにあたって、カメラ本体の種別に応じた処理を行なうことができるようになる。
【００２４】
さらに上記カメラ本体が、上記撮像ユニットを認証する認証部を備えたものであるとなお良く、その場合には、上記カメラ本体が、不適正な撮像ユニットであるとの認証結果を受けてその撮像ユニットから送信された信号の受信を制限する信号受信許否部を備えたものであることが好ましく、上記カメラ本体が、上記撮像ユニットが不適正な撮像ユニットであることをユーザに向けて通知する通知部を備えたものであることが望ましい。
【００２５】
そうすると、カメラ本体と撮像ユニットとの間で相互に認証を行なうことができるようになり、どちらが不適正なものであってもカメラシステムでの撮影が制限されるようになる。上記したように制限の処理として撮影を禁止する処理を行なう場合には、撮像ユニット、あるいはカメラ本体のうち、正規のものである方で撮影を禁止する処理が行なえるようになる。
【発明の効果】
【００２６】
以上、説明したように、正規の撮像ユニットが不適正なカメラ本体に装着され撮影が行なわれることを防止することができるカメラシステムが実現される。
【発明を実施するための最良の形態】
【００２７】
以下、本発明の実施の形態について説明する。
【００２８】
図１は、本発明の一実施形態であるカメラシステム１の外観を示す図である。
【００２９】
このカメラシステム１は、撮像ユニット１ａとカメラ本体１ｂ〜ｎｂとを備えたものであって、撮像ユニット１ａがどのカメラ本体にも装着自在な構成となっている。
【００３０】
図１には、正規の撮像ユニット１ａとその正規の撮像ユニットが装着される、複数種類のカメラ本体１ｂ〜ｎｂがそれぞれ図示されている。この図１に示す複数種類のカメラ本体１ｂ〜ｎｂの中には不適正なカメラ本体（例えば撮像ユニットと仕様があわないものであるとか、全くの模造品であるとか）も含まれているものとする。なお、図１に示すカメラ本体にはレリーズ釦１０１ｂや撮影モードダイヤル１０２ｂが配備されている。また、双方のマウント部１００ａ，１００ｂにマウント接点が多数設けられており、撮像ユニット１ａがカメラ本体１ｂに装着されるときにはそれらのマウント接点が機械的に接続されることによって双方のシリアルインターフェースが電気的に接続されるようになっている。
【００３１】
この例においては、カメラ本体が不適正なものである可能性があるため、図１に示す撮像ユニット１ａが複数種類のカメラ本体１ｂ〜ｎｂのうちのいずれかに装着され電源が投入されたときに、撮像ユニット１ａが、カメラ本体が正規のものであるかどうかの認証を、インターフェースを利用して行なうようにしている。
【００３２】
図２は、図１に示す撮像ユニット１ａとカメラ本体１ｂ〜ｎｂの内部構成をそれぞれ示す図である。
【００３３】
ここで撮像ユニット１ａがカメラ本体１ｂに装着されたとしてこのカメラシステム１の画像信号の流れを、図２を参照しながら簡単に説明していく。
【００３４】
撮像ユニット１ａには撮影光学系１１ａと撮像素子１２ａとが備えられており、撮影光学系１１ａの中にはフォーカスレンズなどのレンズや絞り（図示せず）などが配備されている。そのフォーカスレンズがシステム制御部１０ａの制御により常に合焦点に駆動されピントのあった被写体が撮像素子１２ａに結像されるようになっている。さらにシステム制御部１０ａによりその撮像素子１２ａで生成されたアナログの画像信号が所定の時刻ごとに後段のＡ／Ｄ変換部１３ａに出力され、Ａ／Ｄ部１３ａでアナログ信号の画像信号からデジタルの画像信号へ変換される。そのデジタル信号になった画像信号が後段の信号処理部１４ａで信号処理され、信号処理された画像信号がシステム制御部１０ａより制御されているシリアルインターフェース（以降Ｉ／Ｆという）１５ａを通ってカメラ本体１ｂへ供給される。
【００３５】
以上が撮像ユニット１ａ側の画像信号の流れである。
【００３６】
次に撮像ユニット１ａ側からの画像信号を受け取ったカメラ本体１ｂでどのような処理が行なわれるかを説明する。
【００３７】
なお、図２のカメラ本体の中には、上記撮像ユニット１ａと同じ名称のシステム制御部があるので、以降の記載においては混同を避けるため、撮像ユニット１ａ側のシステム制御部を第１のシステム制御部１０ａと記載し、カメラ本体１ｂ側のシステム制御部を第２のシステム制御部１０ｂと記載する。また、カメラ本体１ｂ側にも撮像ユニット１ａ側と同様のシリアルＩ／Ｆ１４ｂが配備されているので、撮像ユニット１ａ側のシリアルＩ／Ｆを第１のシリアルＩ／Ｆ１５ａと記載し、カメラ本体側のシリアルＩ／Ｆ１４ｂを第２のシリアルＩ／Ｆと記載する。さらにカメラ本体１ｂ側にも撮像ユニット１ａ側と同様の信号処理部が配備されているので、撮像ユニット１ａ側の信号処理部を第１の信号処理部１４ａと記載し、カメラ本体１ｂ側の信号処理部を第２の信号処理部１５ｂと記載する。      
【００３８】
上記以外のものにおいても撮像ユニットとカメラ本体との双方に同一の名称部がある場合には、撮像ユニット側に「第１の」という言葉を付加し、カメラ本体側に「第２の」という言葉を付加して記述するものとする。
【００３９】
図２に示すようにカメラ本体の動作は統括的に第２のシステム制御部１０ｂにより制御されている。
【００４０】
カメラ本体側には、撮像ユニット１ａの装着を検知する接続検知部１３ｂが設けられており、撮像ユニット１ａがカメラ本体１ｂに装着されると、その接続検知部１３ｂから第２のシステム制御部１０ｂに撮像ユニット１ａが装着されたことが通知される。
【００４１】
そうしたら、第２のシステム制御部１０ｂの制御の基、カメラ本体１ｂは、第１のシリアルＩ／Ｆ１５ａを通って送られてきた画像信号を第２のシリアルＩ／Ｆ１４ｂを介して受け取って受け取った画像信号を第２の信号処理部１５ｂに供給していく。この第２の信号処理部１５ｂで信号処理された画像信号を第２のシステム制御部１０ｂの制御に基づいて画像表示部１６ｂに供給して画像表示部１６ｂに画像の表示を行なわせている。また第２のシステム制御部１０ｂは、この画像の表示を画像表示部１６ｂに行なわせている最中にレリーズ釦１０１ｂ（図１参照）の押し操作が行なわれたことを検知したらレリーズ信号を第１のシリアルＩ／Ｆ１４ｂ，１５ａを通して撮像ユニット１ａ側の第１のシステム制御部１０ａに供給してその第１のシステム制御部１０ａに撮像素子１２ａの露光制御を開始させている。第１のシステム制御部１０ａは、所定の秒時が経過したら、撮像素子から画像信号を出力させ、さらにシリアルＩ／Ｆ１５ａ，１４ｂを制御して第１のシリアルＩ／Ｆにカメラ本体への画像信号の送出を行なわせる。そうしたらカメラ本体側の第２のシステム制御部１０ｂは、撮像ユニット側から送信されてくる画像信号を、第２のシリアルＩ／Ｆ１４ｂに受け取らせてさらにその画像信号を第２の信号処理部１５ｂに供給させる。第２の信号処理部１５ｂに画像信号の信号処理を行なわせた後、その信号処理された画像信号をカードＩ／Ｆ１７ｂに供給してカードＩ／Ｆにメモリカード２０ｂへの画像信号の記録を行なわせる。
【００４２】
以上の動作が、正規の撮像ユニットが正規のカメラ本体に装着され電源が投入されたときに行なわれる動作であるが、不適正なカメラ本体（例えば撮像ユニットの仕様とはあわないカメラ本体であるとか、あるいは全くの模造品であるとか）に撮像ユニット１ａが装着されたときにもこの動作が行なわれるとカメラ本体の第２の信号処理部１５ｂで不適切な信号処理が行なわれてしまう恐れがある。
【００４３】
そこで、本実施形態のカメラシステムでは、撮像ユニット１ａに認証部（ここではシステム制御部１０ａに認証機能を持たせてある）を設けることによって、カメラ本体側にではなく、撮像ユニット１ａが装着されるカメラ本体が正規のものであるかどうかの認証を撮像ユニット１ａに行なわせるようにしている。
【００４４】
本実施形態においては、撮像ユニット１ａ側の第１のシステム制御部１０ａが第１のシリアルＩ／Ｆ１５ａを制御してカメラ本体１ｂ側の第２のシステム制御部１０ｂに向けて認証コードの送信要求を送信した後、カメラ本体１ｂ側の認証コード発生手段１２ｂが発生した認証コードが撮像ユニット１ｂ側に返送されてきたら、第１のシステム制御部１０ａがその認証コードに基づいてカメラ本体１ｂが正規のものであるかどうかの認証を行なうようにしている。この例では、カメラ本体１ｂ側の認証コード発生部１２ｂが発生する認証コードをカメラ本体１ｂの種別が特定されるコードとしておいて撮像ユニット１ａの第１のシステム制御部１０ａがそのコードを受け取ったら予め第１のシステム制御部内に格納されている、適合機種を示すコードリストとそのコードとを照合することによって認証を行なうようにしている。
【００４５】
さらに、認証後、認証部である第１のシステム制御部１０ａは、カメラ本体１ｂが正規のものではなく、不適正なカメラ本体であるという認証結果を受けてシリアルＩ／Ｆ部１５ａを制御して画像信号の送信を制限する処理を行なうようにしている。
【００４６】
例えば、上記コードリストの中にカメラ本体１ｂから取得した認証コードが存在していなかったら、システム制御部１０ａはカメラ本体１ｂが模造品つまりまがい物であると認識してシリアルＩ／Ｆでの信号の送信を禁止する処理を行なうこともできる。また、そのコードリストの中にはあるが、撮像ユニットの仕様とカメラ本体の仕様（例えばフレームレートの値）が合わないということを第１のシステム制御部１０ａがコードリストの照合結果から認識した場合には、第１のシステム制御部１０ａはシリアルＩ／Ｆ１５ａを制御してフレームレートに制限を加えてからエラーコードとともに画像信号を送出するようなことを行なうこともできる。このようにしておくと、カメラ本体が他の撮像ユニットにあっては正規のものになるが、装着された撮像ユニットでは不適正なものになってしまう場合には条件付きで撮影の許可を与えるようなことを行なうこともできる。
【００４７】
さらに、本実施形態では、上記エラーコードを受けたカメラ本体側の第２のシステム制御部１０ｂが、画像表示部１６ｂにエラー表示を行なわせてユーザに不適正なカメラ本体であることを通知するようなことも行なっている。
【００４８】
このようなことを行なっておくと、ユーザに対してカメラ本体が不適正なもの例えば模造品である場合にはその模造品であるというこを知らせることができる。また、仕様が異なる場合には、撮像ユニットの実力が充分に発揮されないけれども撮影が行なえる旨を通知することもできる。
【００４９】
この第１のシステム制御部１０ａが、本発明にいう認証部にあたり、第１のシステム制御部１０ａと第１のシリアルＩ／Ｆ１５ａとが本発明にいう送信拒否部にあたる。さらに第１のシステム制御部１０ａと第２のシステム制御部１０ｂと画像表示部１７ｂとが本発明にいう通知部にあたる。
【００５０】
なお、ここではカメラ本体側の画像表示部を利用してエラー表示を行なうようにしているが、撮像ユニット側でエラー表示を行なうようにしても良い。また、警告音を発生させるようにしても良い。
【００５１】
また、ここではシリアルＩ／Ｆ１５ａ，１４ａを制御することで認証処理が行われるが、別の形態として、非接触のデータ伝送方式、例えばＲＦタグなどを撮像ユニット１ａとカメラ本体１ｂの接触面の近くに設けることで、シリアルＩ／Ｆが接続状態となる以前に認証を行うことも可能である。
【００５２】
図３は第１のシステム制御部１０ａが認証処理の手順を示すフローチャートである。
【００５３】
図２に示すカメラシステム１においては、撮像ユニット１ａ側の第１のシステム制御部１０ａがカメラ本体１ｂの認証を行なうにあたって、第２のシステム制御部１０ａの協力を得て処理を行なっているため、フロー中に第１のシステム制御部の処理と第２のシステム制御部の処理が混同して記載されている。
【００５４】
このため図３のフローを説明するにあたって、第１のシステム制御部１０ａが行なうステップを説明するときには第１のシステム制御部がという主語を付加し、第２のシステム制御部１０ｂが行なうステップを説明するときには第２のシステム制御部がという主語を付加して以降説明する。なお、フロー中には、カメラ本体を本体と記載し、撮像ユニットをユニットと記載してある。
【００５５】
電源が投入されると、このフローの処理が開始される。
【００５６】
ステップＳ３０１で第２のシステム制御部１０ｂが、撮像ユニット１０ａが装着されたかどうかを接続検知部１３ｂの検知状態に応じて判定する。このステップＳ３０１で、第２のシステム制御部１０ｂが、撮像ユニット１ａの装着を検知したらＹ側に進み次のステップＳ３０２で、第２のシステム制御部１０ｂが電源部に指令を出して撮像ユニット１０ａへマウント接点を通して電源を供給させる。撮像ユニット１ａに電源が供給されたら第２のシステム制御部１０ｂは、次のステップＳ３０３で撮像ユニット１ａを動作状態にすべく起動信号を撮像ユニット１ａへ供給する。
【００５７】
ステップＳ３０４で撮像ユニット１ａが起動状態になったら、ステップＳ３０５で今度は第１のシステム制御部１０ａが、撮像ユニット１ａからカメラ本体１ｂへ向けて認証コードの送出要求を送信する。この送出要求を受けてカメラ本体１ｂ側の第２のシステム制御部１０ｂは、次のステップＳ３０６で認証コード発生部１２ｂが発生している認証コードを撮像ユニット１ａ側の第１のシステム制御部１０ａに伝える。そうしたら、今度は第１のシステム制御部１０ａがその認証コードを読み取る。次のステップＳ３０７で認証部である第１のシステム制御部１０ａがカメラ本体の認証コードの判別を行なって正規のカメラ本体であるかどうかの認証を行なう。
【００５８】
このステップＳ３０７で、第１のシステム制御部２０ａが、カメラ本体が正規のものであると判定したら、次のステップＳ３０８へ進み、ステップＳ３０８で第１のインターフェースを制御して第１のインターフェース１５ａに画像信号の送出を開始させる。その撮像ユニットから送出されてきた画像信号をカメラ本体１ｂ側で受け取ったら、ステップＳ３０９でカメラ本体１ｂ側の第２のシステム制御部１０ｂは画像表示部１６ｂにその画像信号に基づく画像の表示を行なわせて撮影スタンバイ状態に遷移する。
【００５９】
ステップＳ３０７で第１のシステム制御部１０ａが、カメラ本体が不適正であると判定したらステップＳ３１０へ進み、ステップＳ３１０で第１のインターフェース１５ａを制御してカメラ本体１ｂに向けてエラーコードを送出する。その送出を受けてカメラ本体１ｂの第２のシステム制御部１０ｂは、画像表示部１６ｂにエラー表示を行なわせる。
【００６０】
このエラー表示により不適正なカメラ本体であることがユーザに通知されたら、ユーザは、そのカメラ本体が不適正なものであることを知るようになる。このときその不適正なカメラ本体が例えば模造品であることをユーザが知った場合には、そのカメラ本体を警察に届けるなどの処理を速やかに行なうことができ、また撮像ユニットとカメラ本体との仕様値の違いによって撮影に制限が加えられていることを知った場合には、撮影制限の承知の上で撮影を行なうこととなる。
【００６１】
以上説明したように、正規の撮像ユニットが不適正なカメラ本体に装着されることを防止するカメラシステムが実現される。
【００６２】
なお、上記実施形態では、有線のインターフェースを例に挙げて説明したが、無線Ｉ／Ｆであっても良い。そうすると、わざわざ撮像ユニットをカメラ本体に装着しなくてもカメラ本体が不正な模造品であるかどうかの認証が行なわれるようになる。
【００６３】
上記実施形態では、撮像ユニット１ａ側が認証部１０ａを備えた例を掲げて、不適正なカメラ本体に正規の撮像ユニットが装着されることを防止するカメラシステムを説明したが、不適正な撮像ユニットが適正なカメラ本体に装着されることも予想される。そこで、撮像ユニットとカメラ本体との双方に認証部を設けて相互に認証を行なうことができるようにしておくとなお良い。
【００６４】
図４は、相互に認証を行なうことができるように改良した第２の実施形態のカメラシステムの構成を説明する図である。
【００６５】
図４には、不適正な撮像ユニットを含む複数の撮像ユニットと、不適正なカメラ本体を含む複数のカメラ本体とがそれぞれ示されている。図１では、撮像ユニット側に認証部を設けたが、図４の例では双方に認証部が設けられている。
【００６６】
図５は、図４に示す複数の撮像ユニット１ａ〜ｎａの中の一撮像ユニットの内部構成と図４に示す複数のカメラ本体の中の一カメラ本体の内部構成を説明する図である。
【００６７】
図５に示すように、図１の構成に加えてカメラ本体側のシステム制御部１０ｂに認証機能を持たせておくとともに、その第２のシステム制御部１０ｂに認証を行なわせるにあたって重要な役割を担う認証コード発生部１６ａａを撮像ユニット１ａａに設けて、カメラ本体１ｂと撮像ユニット１ａａとの双方で相互に認証を行なうことができるように改良している。
【００６８】
図５に示すように撮像ユニット１ａａに認証コード発生部１６ａａが設けられており、その認証コード発生部１６ａａが発生した認証コードが、カメラ本体１ｂ側のシステム制御部１０ｂから発せられる認証コード送出要求を受けて第１のシステム制御部１０ａの制御の基、インターフェースを通して第２のシステム制御部１０ｂに伝えられるようになっている。第２のシステム制御部は、その認証コードを受けて撮像ユニットが正規のものであるかどうかの認証を行なう。この第２のシステム制御部が、本発明にいう認証部にあたる。この例ではその認証部である第２のシステム制御部の認証結果を受けて同じ第２のシステム制御部が第２のシリアルＩ／Ｆを制御して第２のシリアルＩ／Ｆでの画像信号の受信を制限する処理（受信を禁止する処理を含む）を行なったり、認証結果を受けて画像表示部にエラー表示を行なわせるようにしている。この第２のシステム制御部が、本発明にいう認証部にあたり、また本発明にいう通知部にもあたり、さらに本発明にいう信号受信許否部にもあたる。
【００６９】
勿論第１の実施形態と同様、撮像ユニット１ａａ側の第１のシステム制御部１０ａａでもカメラ本体側の認証が行なわれていて不適正なカメラ本体であるとの認証結果が得られた場合には、その認証結果を受けて第１のシステム制御部１０ａａによって第１のシリアルＩ／Ｆ１５ａａが制御され送信の制限が加えられたり、カメラ本体側にエラーコードが送信されたりしている。
【００７０】
図６は撮像ユニット側の認証部である第１のシステム制御部１０ａａとカメラ本体側の認証部である第２のシステム制御部１０ｂとが共同して行う相互認証の処理手順を示すフローチャートである。
【００７１】
図３のフローと同様のフローであり、カメラ本体側が撮像ユニットの認証処理を行なう処理ステップＳＳ６０３〜Ｓ６０７が付加されている以外の部分は図３のフローの処理と全く同じ処理であるので、カメラ本体が撮像ユニットの認証処理を行なうステップＳ６０１〜ステップＳ６０７の処理を説明する。
【００７２】
ステップＳ６０１で、第２のシステム制御部１０ｂが、撮像ユニット１ａａの装着を検知したら次のステップＳ６０２へ進んで第２の制御部１０ｂが、電源部に指令を出して撮像ユニット１ａａへ電源を供給させる。次のステップＳ６０３でカメラ本体１ｂ側の第２のシステム制御部１０ｂは、撮像ユニット１ａａに対し認証コードの送出要求を送信する。その送出要求に応えて、ステップＳ６０４で撮像ユニット１ａａ側の第１のシステム制御部１０ａａが認証コード発生手段１６ａａが発生している認証コードを読み取りその認証コードをインターフェース１５ａａを通してカメラ本体１ｂに伝える。そうしたら、その認証コードを受けて、ステップＳ６０５でカメラ本体１ｂの第２のシステム制御部１０ｂはその認証コードの判別を行なう。
【００７３】
ステップＳ６０５で第２のシステム制御部１０ｂｂが、撮像ユニット１ａａが正規のものであると判定したら、次のステップＳ６０６へ進み、撮像ユニット１ａａを起動状態にして以降図３のステップＳ３０３以降の処理と同様の処理を行なう。このステップＳ６０８〜ステップＳ６１４までの処理は、図３で説明したように撮像ユニットがカメラ本体を認証する処理である。
【００７４】
ステップＳ６０５で不適正な撮像ユニットであると判定したら、ステップＳ６０７へ進み、第２のシステム制御部１０ｂｂが画像表示部１６ｂｂを制御して画像制御部１６ｂｂにエラー表示を行なわせてこのフローの処理を終了する。
【００７５】
以上説明したように、正規の撮像ユニット１ａが不適正なカメラ本体に装着されることを防止するとともに、正規のカメラ本体に不適正な撮像ユニットが装着されることを防止するカメラシステムが実現される。
【００７６】
なお、双方とも不適正なものである場合には双方に認証部がないため、認証が行なわれないケースが出てくることが予想されるが、不適正な撮像ユニットが別のカメラ本体に装着されて用いられようとしたとき、もしくは不適正なカメラ本体に正規の撮像ユニットが装着されて用いられようとしたときには、必ず正規のものによって認証が行なわれる。
【００７７】
このようにしておけば、不適正なものと正規のものとが組み合わされて用いられることがなくなり、不適正な撮像ユニットもしくは不適正なカメラ本体が発見されたときには、いち早くしかるべき処置を採ってまがい品の流通を防止することができるようになる。
【００７８】
また、図１〜図３の例では撮像ユニット側の認証部であるシステム制御部によりカメラ本体側の仕様にあうように処理が行なわれるが、図４〜図６の例では撮像ユニット、カメラ本体のうちのいずれかの仕様にあうように双方のシステム制御部により仕様あわせが行なわれるので図１〜図３のものに比べてより柔軟なカメラシステムが実現されるようになる。
【図面の簡単な説明】
【００７９】
【図１】本発明の一実施形態であるカメラシステムを示す図である。
【図２】図１に示す撮像ユニット１ａとカメラ本体１ｂ〜ｎｂの内部構成をそれぞれ示す図である。
【図３】第１のシステム制御部１０ａが行なう認証処理の手順を示すフローチャートである。
【図４】本発明の別の実施形態であるカメラシステムの構成を説明する図である。
【図５】図４のカメラシステムを構成する撮像ユニットとカメラ本体との双方の内部構成を説明する図である。
【図６】第１のシステム制御部１０ａと第２のシステム制御との双方が相互に行なう認証処理の手順を示すフローチャートである。
【符号の説明】
【００８０】
１  カメラシステム
１ａ    …  ｎａ  撮像ユニット
１０ａ    システム制御部
１１ａ    撮影光学系
１２ａ    撮像素子
１３ａ    Ａ／Ｄ変換部
１４ａ    信号処理部
１５ａ    シリアルＩ／Ｆ部
１ｂ  …  ｎｂ  カメラ本体
１０ｂ    システム制御部
１１ｂ    メモリ
１２ｂ    認証コード発生部
１３ｂ    接続検知部
１４ｂ    シリアルＩ／Ｆ部
１５ｂ    信号処理部
１６ｂ    画像表示部
１７ｂ    カードＩ／Ｆ
２０ｂ    メモリカード
【図１】
2006203549.tif 000003
【図２】
2006203549.tif 000004
【図３】
2006203549.tif 000005
【図４】
2006203549.tif 000006
【図５】
2006203549.tif 000007
【図６】
2006203549.tif 000008